(57)【要約】  【課題】  廃棄処分時に役立つ解体手順書面を、予め冷蔵庫本体に添付した冷蔵庫を提供する。  【解決手段】  冷蔵庫本体１の裏面側要所に、冷蔵庫メーカーが作成した解体手順書面２を添付する。この解体手順書面２は、例えば合成樹脂製の袋に入れて貼り付けるか、又は解体手順書面２をラベルとして形成し、このラベルを貼付するか、又は解体手順書面２を印刷手段により直接付する。解体手順書面２の添付位置は、冷蔵庫本体１の裏面側に限らず側面要所にしても良い。更に、冷蔵庫本体の要所に収納部を形成し、その収納部内に配線図と共に解体手順書面を収納しても良い。【選択図】    図１
2006023080.tif 000002
【特許請求の範囲】
【請求項１】
冷蔵庫の廃棄時における解体手順を記載した解体手順書面をラベルとして形成し、このラベルを冷蔵庫本体の裏面要所に貼付することを特徴とする冷蔵庫。
【請求項２】
冷蔵庫本体の裏面要所に、冷蔵庫の廃棄時における解体手順を記載した解体手順書面を印刷手段により付することを特徴とする冷蔵庫。
【発明の詳細な説明】
【技術分野】
【０００１】
本発明は、廃棄処分時の解体手順書面を添付した冷蔵庫に関する。
【背景技術】
【０００２】
冷蔵庫が廃棄されると粗大ゴミとなり、地方自治体等の行政はその廃棄処分に困惑している。廃棄処分の一例としては、冷媒ガスを抜き、開閉扉を取り外し、ユニット機器及びパイプ類を除去した後に冷蔵庫本体をクラッシャにより破砕し、その破砕片を選別工程に送り込み、例えば電磁石を用いて鉄と非鉄とを選別し、比重差を利用してプラスチック類を選別している。
【特許文献１】特開平８−３２３３３７号公報
【特許文献２】特開平６−１６５８９３号公報
【特許文献３】特開平６−１６４１５８号公報
【発明の開示】
【発明が解決しようとする課題】
【０００３】
しかしながら、各処分場での冷蔵庫の廃棄処分の工程が必ずしも統一されておらず、又冷蔵庫の構造が明示されていないことから不適切な処分がなされたり、処理工程の能率を低下させたり等の不都合が発生している。例えば、冷蔵庫の本体内にパイプ類が埋設されているものがあり、そのパイプ類が金属製の場合にはクラッシャにより破砕されずに屈曲状態に丸まり、スクリーンを通過せずに引っ掛かると破砕作業を阻害する。このような時には、クラッシャを停止させてスクリーンに引っ掛かったパイプ類を手作業で取り除かねばならず、その作業が面倒であるばかりか破砕作業の能率を低下させることになる。
【０００４】
本発明は、このような従来の事態に鑑みなされたもので、廃棄処分時に役立つ解体手順書面を予め冷蔵庫本体に添付した冷蔵庫を提供することを目的とする。
【課題を解決するための手段】
【０００５】
この目的を達成するための具体的手段として、本発明は、冷蔵庫の廃棄時における解手順を記載した解体手順書面をラベルとして形成し、このラベルを冷蔵庫本体の裏面要所に貼付することを特徴とする冷蔵庫を要旨とする。
【０００６】
又、冷蔵庫本体の裏面要所に、冷蔵庫の廃棄時における解体手順を記載した解体手順書面を印刷手段により付することを特徴とする冷蔵庫を要旨とするものである。
【０００７】
このようにして、冷蔵庫本体の裏面に解体手順書面を予め添付しておけば、廃棄処分時にその解体手順書面を利用して冷蔵庫を適切に解体し廃棄処分することができる。      
【発明の効果】
【０００８】
以上説明したように、本発明によれば、特に冷蔵庫本体にその廃棄処理時の解体手順書面を予め添付したので、処分場において冷蔵庫を要領よくしかも適切に解体処理することができ、クラッシャでの破砕作業を阻害しないと共にその作業能率を著しく向上させる等の優れた効果を奏する。
【発明を実施するための最良の形態】
【０００９】
次に、本発明に係る冷蔵庫の実施形態を添付図面に基づいて説明する。
【００１０】
図１において、１は冷蔵庫本体であり、その裏面の要所に廃棄時の解体手順を記載した書面２を添付する。この解体手順書面２は、冷蔵庫メーカーが作成すると共に梱包時に冷
蔵庫本体１に添付する。
【００１１】
解体手順書面２の添付方法としては、例えば解体手順書面２を透明の合成樹脂製の袋に入れて冷蔵庫本体１の裏面要所に貼り付けるか、又は解体手順書面２をラベルとして形成し、このラベルを冷蔵庫本体１の裏面要所に貼付するか、或いは解体手順書面２をスクリーン印刷等の印刷手段により冷蔵庫本体１の裏面要所に直接付すようにする等が採用できる。
【００１２】
解体手順書面２を取扱説明書（図略）や保証書等と共に梱包時に添付するようにしても良いが、これらは時間が経過するとどこに保管したのか忘れたり、とかく紛失しがちであるため前記のように冷蔵庫本体１に合体状態で添付することが好ましい。
【００１３】
又、解体手順書面２の添付位置は、冷蔵庫の使用時に邪魔にならない箇所が好ましく、その観点からして前記のように冷蔵庫本体１の裏面側が好適であるが、ラベルの場合や印刷の場合は冷蔵庫本体１の側面要所を選択しても良い。ラベルや印刷の場合は、場所の如何を問わず経時変化により汚れたりかすれたりして、読み取り不能にならないように配慮することが肝心である。
【００１４】
場合によっては、図２のように冷蔵庫本体１の裏面側の要所にポケット状の収納部３を形成し、この収納部３内に冷蔵庫の配線図４と共に解体手順書面２を収納し、或いは配線図４の裏面に解体手順書面２を印刷して収納するようにしても良い。この収納部３は、図１に示すようにユニット機器５のカバー板６がある場合には、そのカバー板６に設けることも可能である。このカバー板６は、着脱自在に形成してその内側に収納部３を設けて邪魔にならないようにし、カバー板６の外側にその旨注意書きを付けておくと好ましい。
【００１５】
このようにして、冷蔵庫本体１に解体手順書面２を添付しておけば、冷蔵庫が廃棄され処分場に搬入されて処分される際に、その解体手順書面２に基づいて冷蔵庫を要領よく解体することが可能となる。これにより、クラッシャによる破砕の前段階で必要な部材を解体して容易に除去することができ、しかも冷蔵庫本体１に埋設されているパイプ類の除去も可能となるため、従来生じていたクラッシュ作業時の阻害を未然に防止すると共にその作業能率を向上させることができる。
【００１６】
従来は廃棄処理時の解体手順はどこにも明示されておらず、このため処分場で解体手順書面２が無視されないようにつまり解体手順書面２が有効利用されるように、冷蔵庫本体１には解体手順書面２が添付されていることを各処分場に予め通知して認識してもらう必要がある。家電リサイクル法がやがて施行されるので重要なことである。
【００１７】
ユーザーに対しても、冷蔵庫の購入時又は使用開始時の段階から解体手順書面２の存在を印象付け、その重要性を植え付けることで廃棄時での不法投棄を未然に防止するよう役立てることも可能である。
【００１８】
尚、上記実施形態では冷蔵庫に付いて説明したが、本発明は、冷蔵庫に限らず冷凍庫その他の家電製品にも適用することができる。
【図面の簡単な説明】
【００１９】
【図１】本発明に係る冷蔵庫の一実施形態を示す背面側から見た斜視図
【図２】他の実施形態を示す要部の概略断面図
【符号の説明】
【００２０】
１…冷蔵庫本体
２…解体手順書面
３…収納部
４…配線図
５…ユニット機器
６…カバー板
【図１】
2006023080.tif 000003
【図２】
2006023080.tif 000004